(57)【要約】基地局（１０３）は一組の移動局（１０１）をグループに割り当て、グループは一組の無線資源を共有する。共有の制御チャンネル情報要素（５０１）が、移動局（１０１）のグループへ送られ、制御ヘッダ（５０２）、利用資源（５１０）、および第１のＨＡＲＱ送信割当て（５３０）に対するフィールドを有するビットマップを与える。ＨＡＲＱサブグループは、スーパー・フレーム上で移動局のサブグループを特定のＨＡＲＱ送信機会に関連付けるように規定されていても良い。移動局（１０１）には、資源が、第１のＨＡＲＱ送信機会が規定されるスーパー・フレームの各ロング・フレームにおいて、持続的な方法で割り当てられる。
2010503337.tif 000002
【特許請求の範囲】
【請求項１】
ネットワーク・インフラストラクチャ・エンティティを動作させる方法であって、
移動局のグループに、一組の共有資源の中から使用中の資源を示す第１の表示子を送ること、
前記グループのどの移動局が規定された第１の送信機会を有し、かつ前記一組の共有資源の少なくとも一つの資源が前記グループのどの移動局に割り当てられているか、を示す第２の表示子を送ること
を含む方法。
【請求項２】
前記第１の表示子を送ることが、ビットマップを送ることをさらに含み、前記ビットマップにおける各位置が、前記一組の共有資源の一つの資源に対応する、請求項１に記載の方法。
【請求項３】
前記第２の表示子を送ることが、ビットマップを送ることをさらに含み、前記ビットマップにおける各位置が、前記第１の送信機会が規定される移動局に対応する、請求項１に記載の方法。
【請求項４】
エンコードされたパケットの第１の送信を、前記第２の表示子によってアクティブであると示された移動局に、前記一組の共有資源のうち前記第１の表示子によって使用中とは示されていない資源を用いて送ることをさらに含む、請求項１に記載の方法。
【請求項５】
前記資源を用いて前記移動局に第２の送信を送ることをさらに含む、請求項４に記載の方法。
【請求項６】
移動局における方法であって、
一組の共有資源の中から使用中の資源を示す第１の表示子を受け取ること、
前記グループのどの移動局が規定された第１の送信機会を有し、かつ前記一組の共有資源の少なくとも一つの資源が前記グループのどの移動局に割り当てられているか、を示す第２の表示子を受け取ること、
前記移動局に対する保留中の送信機会が第１の送信機会である場合に、前記第１の表示子および前記第２の表示子を用いて、前記移動局に前記一組の共有資源の少なくとも一つが割り当てられているか否かを判定すること
を含む方法。
【請求項７】
移動局であって、
少なくとも一つの送受信装置と、
前記送受信装置に結合される少なくとも一つのプロセッサと
を備え、
前記プロセッサは、
一組の共有資源の中から使用中の資源を示す第１の表示子を受け取ること、
前記グループのどの移動局が規定された第１の送信機会を有し、かつ前記一組の共有資源の少なくとも一つの資源が前記グループのどの移動局に割り当てられているか、を示す第２の表示子を受け取ること、
前記移動局に対する保留中の送信機会が第１の送信機会である場合に、前記第１の表示子および前記第２の表示子を用いて、前記移動局に前記一組の共有資源の少なくとも一つが割り当てられているか否かを判定すること
を行なうように構成されている、移動局。
【請求項８】
基地局であって、
送受信装置と、
前記送受信装置に結合されたプロセッサと
を備え、
前記プロセッサは、
移動局のグループに、一組の共有資源の中から使用中の資源を示す第１の表示子を送ること、
前記グループのどの移動局が規定された第１の送信機会を有し、かつ前記一組の共有資源の少なくとも一つの資源が前記グループのどの移動局に割り当てられているか、を示す第２の表示子を送ること
を行なうように構成されている、基地局。
【請求項９】
前記プロセッサはさらに、ビットマップを送ることによって前記第１の表示子を送るように構成され、前記ビットマップにおける各位置が、前記一組の共有資源の一つの資源に対応する、請求項８に記載の基地局。
【請求項１０】
前記プロセッサはさらに、ビットマップを送ることによって前記第２の表示子を送るように構成され、前記ビットマップにおける各位置が、前記第１の送信機会が規定される移動局に対応する、請求項８に記載の基地局。
【請求項１１】
前記プロセッサはさらに、エンコードされたパケットの第１の送信を、前記第２の表示子によってアクティブであると示された移動局に、前記一組の共有資源のうち前記第１の表示子によって使用中とは示されていない資源を用いて送るように構成されている、請求項８に記載の基地局。
【請求項１２】
前記プロセッサはさらに、第２の送信を前記移動局に、前記資源を用いて送るように構成されている、請求項８に記載の基地局。
【発明の詳細な説明】
【技術分野】
【０００１】
本開示は一般的に、ボイス・オーバー・インターネット・プロトコル（ＶｏＩＰ）無線通信ネットワークに関し、より詳細には、ハイブリッド自動再送要求（ＨＡＲＱ）を用いた当該ネットワーク、ならびにＨＡＲＱメカニズムを用いたＶｏＩＰ無線通信システムにおいてシグナリング・オーバーヘッドを低減した方法および設備に関する。
【背景技術】
【０００２】
無線通信システム、たとえばパケット・ベースの通信システムでは、ボイス・オーバー・インターネット・プロトコル（ＶｏＩＰ）を用いた音声電話通信が実現され得る。「データ」と「音声」との間の歴史的な区別はどれも、パケット・ベースの通信システムでは曖昧になっており、用語「データ」は通常、音声であろうと、インターネットからのダウンロードによって提供され得るようなデータであろうと、任意のサービスに対するペイロード情報を意味するというようになっている。
【０００３】
しかし音声が用いるパケット・サイズは一般的に、たとえば遅延感度が原因で、従来のいわゆるデータが用いるであろうサイズよりも小さいという点で、違いは残っている。たとえば、非音声データ・パケットは、キロ・バイトを上回る場合があるが、一方で音声パケットは、使用するボコーダ・レートに応じて、ほぼ１５〜５０バイトでしかない場合がある。
【０００４】
音声セッションが用いるパケット・サイズの方が小さいために、サービスされ得る音声ユーザ数が非常に増加しており、その結果、通信システムの制御メカニズムおよび資源に負担がかかっている。
【０００５】
システムがハイブリッド自動再送要求（ＨＡＲＱ）を用いる場合、再送信に対して持続的なチャンネルを利用する場合がある。持続的なチャンネルによって、移動局が各ＨＡＲＱ再送信に対して制御チャンネル情報をデコードする必要がなくなり、その結果、制御チャンネル・オーバーヘッドが低減される。しかし通信システムの資源を効率的に用いるためには、いったんパケットが確認されたら１つの移動局に対して持続的なチャンネルを再割り当てする必要があり、これには付加的なオーバーヘッドが必要となる。
【発明の概要】
【発明が解決しようとする課題】
【０００６】
したがって、持続的な割当ては行なうが通信システムのオーバーヘッドの著しい増加は伴わないＨＡＲＱ再送信用資源を有する移動局を実現することが求められている。
【図面の簡単な説明】
【０００７】
【図１】無線通信ネットワークを示すブロック図である。
【図２】それぞれが複数のフレームを含む一続きのスーパー・フレームを示すブロック図である。
【図３】それぞれが１または複数のフレームを含む一続きのロング・フレームを示すダイアグラムである。
【図４】共有資源の組の論理ダイアグラム表現である。
【図５ａ】資源割り当てを目的とする共有の制御チャンネルにおいて送られるビットマップを示すダイアグラムである。
【図５ｂ】資源割り当てを目的とする共有の制御チャンネルにおいて送られるビットマップを示すダイアグラムである。
【図５ｃ】資源割り当てを目的とする共有の制御チャンネルにおいて送られるビットマップを示すダイアグラムである。
【図５ｄ】資源割り当てを目的とする共有の制御チャンネルにおいて送られるビットマップを示すダイアグラムである。
【図６】種々の実施形態による異なるサブグループに対するロング・フレーム番号を用いた一続きのＨＡＲＱ送信機会の関連付けを例示する図である。
【図７】種々の実施形態による典型的な資源割り当ておよび順序付けパターンを示すダイアグラムである。
【図８】種々の実施形態によるその後のロング・フレームにおける図７の典型的な資源割り当ておよび順序付けパターンを示すダイアグラムである。
【図９】種々の実施形態による典型的な資源割り当ておよび順序付けパターンを示すダイアグラムである。
【図１０】セクタに分けられた基地局の有効範囲エリアにおけるサブグループ割当てを示すブロック図である。
【図１１】種々の実施形態による要求メッセージが移動局から送られる無線通信ネットワークを示すブロック図である。
【図１２】種々の実施形態による典型的な資源割り当ておよび順序付けパターンを示すダイアグラムである。
【図１３】種々の実施形態による典型的な要求メッセージを示すダイアグラムである。
【図１４】種々の実施形態による移動局および基地局アーキテクチャを示すブロック図である。
【図１５】種々の実施形態による移動局を示すブロック図である。
【図１６】種々の実施形態による基地局の動作を示すフロー・チャートである。
【図１７】種々の実施形態による移動局の動作を示すフロー・チャートである。
【図１８】一実施形態による移動局の動作を示すフロー・チャートである。
【発明を実施するための形態】
【０００８】
次に、同様の数字によって同様の構成部品を表わす図面を参照して、図１に通信ネットワーク１００を例示する。通信ネットワーク１００は、種々の基地局１０３を有し、各基地局１０３は、対応する有効範囲エリア１０７を有する。一般的に基地局の有効範囲エリアは、オーバーラップしても良く、また一般的に、全体的なネットワーク有効範囲エリアを構成しても良い。基地局は、技術に応じて、無線基地局（基地局）、「ノードＢ」、およびアクセス・ノード（ＡＮ）などの他の名前で参照しても良い。ネットワーク有効範囲エリアには、多くの基地局有効範囲エリア１０７が含まれていても良く、これらは、連続する無線有効範囲エリアを形成していても良い。しかし連続する無線有効範囲を有する必要はなく、したがってネットワーク有効範囲エリアは、代替的に、分散されていても良い。
【０００９】
さらに、各有効範囲エリアは多くの移動局１０１を有していても良い。移動局は、アクセス端末（ＡＴ）、ユーザ機器（ＵＥ）、または技術に応じて他の専門用語で呼んでも良い。多くの基地局１０３が、基地局コントローラ１０９に、バックホール接続１１１を介して接続される。基地局コントローラ１０９および基地局によって、無線アクセス・ネットワーク（ＲＡＮ）が構成される。全体的なネットワークには、任意の数の基地局コントローラが含まれていても良く、それぞれが多くの基地局を制御していても良い。なお基地局コントローラ１０９を、代替的に、基地局１０３間の分散機能として実施しても良い。具体的な実施にかかわらず、基地局コントローラ１０９には、パケット通信用の種々のモジュール（たとえばパケット・スケジューラ、パケット・セグメンテーション、および再組立てなど）、および適切な無線資源を種々の移動局１０１に割り当てるためのモジュールが含まれる。
【００１０】
基地局１０３は、移動局１０１と、任意の数の標準無線インターフェースを介して、また任意の数の変調符号化方式を用いて通信しても良い。たとえば、ユニバーサル移動体通信システム（ＵＭＴＳ）、進化型ＵＭＴＳ（Ｅ−ＵＭＴＳ）、地上波無線アクセス（Ｅ−ＵＴＲＡ）、またはＣＤＭＡ２０００を用いても良い。さらに、Ｅ−ＵＭＴＳでは直交周波数分割多重（ＯＦＤＭ）を用いても良く、ＣＤＭＡ２０００では直交拡散符号たとえばウォルシュ・コードを用いても良い。半直交拡散符号を用いて、エアー・インターフェースを介して付加的なチャネライゼーションを実現しても良い。さらに、ネットワークが進化型高速パケット・データ（Ｅ−ＨＲＰＤ）ネットワークであっても良い。適切であれば任意の無線インターフェースを、種々の実施形態によって用いても良い。
【００１１】
図２に、種々の実施形態の無線通信システムにおける通信に有用な一続きのスーパー・フレーム２００を例示する。図２において、スーパー・フレームの並びには一般的に、多くのスーパー・フレーム２１０、２２０、２３０などが含まれており、各スーパー・フレームには多くのフレームが含まれている。たとえば、スーパー・フレーム２１０にはフレーム２１２が含まれ、フレーム２１２は、資源割り当て制御チャンネル部分を制御チャンネル部分２１４およびデータ・チャンネル部分２１６に有している。
【００１２】
図３に、一続きの繰り返すロング・フレームを例示する。２つのフレームがグループ化されてロング・フレームを形成している。いくつかの実施形態においては、ロング・フレームは単一フレームと同等である。インターレース・パターンが、一続きの規則的に配置されたロング・フレームとして規定されている。同期型ハイブリッド自動再送要求（ＨＡＲＱ）（Ｓ−ＨＡＲＱ）を用いるシステムの場合、初期およびその後の送信は通常、同じインターレース・パターンで行なわれる。図３に例示する例では、１２個のロング・フレーム（ロング・フレーム０〜１１で示す）が、スーパー・フレームを構成している。いくつかの実施形態においては、各スーパー・フレームには、パイロットおよび他のオーバーヘッドチャンネルを有する前段が含まれていても良い。
【００１３】
直交周波数分割多元接続（ＯＦＤＭＡ）システムの場合、周波数ドメインは副搬送波に分割されている。たとえば、５ＭＨｚのＯＦＤＭＡ搬送波が、４８０個の副搬送波（副搬送波間隔は９．６ｋＨｚ）に分割されていても良い。ＯＦＤＭＡフレームが複数のＯＦＤＭ符号に分割されていても良い。たとえば、フレームが、０．９１１４４ｍｓｅｃを占有し、８Ｏ個のＦＤＭ符号を含んでいても良い。各符号は、ほぼ１１３．９３μｓｅｃを占有する。副搬送波がグループ化されて、ブロック資源チャンネル（ＢＲＣＨ）および分散資源チャンネル（ＤＲＣＨ）を形成する。ＢＲＣＨは、より大きいバンド幅内でホップしても良い連続する副搬送波のグループであり、一方でＤＲＣＨは、非連続の副搬送波のグループである。
【００１４】
種々の実施形態において、基地局コントローラ１０９、基地局１０３、または何らかの他のネットワーク・インフラストラクチャ・コンポーネントによって、移動局１０１が、スケジューリングを目的として１または複数のグループにグループ化される。移動局１０１は、移動局に付随する無線チャンネル条件（たとえば、移動局によって報告されるチャンネル品質情報、移動局によって報告されるドップラ、サービング・セルからの距離など）に基づいて、グループ化されても良い。その代わりに、またはそれに加えて、移動局１０１は、共通の通信セッションにおける参加以外の１または複数の移動局動作特性に基づいてグループ化されても良い。典型的な移動局動作特性としては、移動局のパワー・ヘッドルーム、マクロ・ダイバーシティ考慮事項、移動局能力、移動局のサービス、コーデック・レートなどが挙げられる。さらに、アクティブなＶｏＩＰセッションを伴う移動局をひとまとめにしても良い。移動局が、有効範囲を改善するために、または他の目的で、セル間のハンドオフを容易にするために複数のグループのメンバであっても良い。
【００１５】
移動局のグループが決定された後で、基地局１０３から移動局１０１に、グループ内での各移動局の位置の表示およびグループ識別子の表示が送られる。制御チャンネルを用いて表示を送っても良い。基地局１０３は、グループ識別子を用いて、全体のグループに対して妥当な制御情報を送っても良い。たとえば、基地局１０３は、グループに対する周波数割り当てを、グループ識別子の表示と新しい周波数割り当ての表示とを送ることによって変えても良い。位置表示を、各移動局に別個に送っても良いし、複数の移動局に一度に送っても良い。
【００１６】
たとえば、基地局１０３から無線移動局の一意の識別子のリストを、グループ識別子とともに送っても良い。適切であれば任意のルールを用いて位置表示を決定しても良く、たとえば、一意の識別子のリストにおける第１の移動局に第１の位置を割り当てても良く、一意の識別子のリストにおける第２の移動局に第２の位置を割り当てても良い、などである。移動局の一意の識別子は、電子シリアル番号（ＥＳＮ）、加入者ハードウェア識別子、メディア・アクセス制御識別子（ＭＡＣ−Ｉｄ）、または特定の移動局を一意に識別する他の好適な任意の識別子であっても良い。
【００１７】
各移動局グループに対して、基地局コントローラ１０９または基地局１０３のスケジューリング機能によって、グループ内の移動局によって共有されるべき時間周波数資源の組を割り当てても良い。図４に、典型的な共有資源の組を示す。図４において、共有資源４１０は、２つのフレーム（１つのロング・フレーム）および８つの分散資源チャンネル（ＤＲＣＨ）である。ブロックが、時間ドメインにおける１つのフレームおよび周波数ドメインにおける１つのＤＲＣＨとして規定される場合、１６個のブロックまたは資源（１〜１６と番号付けされる）が存在する。前述したように、ＤＲＣＨは非連続の副搬送波のグループであり、したがってＤＲＣＨ指標（図４の垂直軸）は、周波数ドメインの論理的表現である。後で説明するように、各移動局は、共有資源のうちの自身の部分を、他の移動局に対する割当てに基づいて決定する。したがって、資源を割り当てる順番を規定する必要がある。図４において、例示的な順序付けパターン４２０が与えられていて、その結果、図示するようにブロックが１〜１６と番号付けされている。共有資源の組を、図３に関して説明したようなインターレース・パターンで繰り返して用いても良い。たとえば、１６個の資源を、図３のインターレース・パターン０の各ロング・フレームにおいて繰り返して用いても良い。この場合もやはり、図４によって例示される１６個の資源は、フレーム内の周波数ドメインにおける副搬送波の組の論理的表現である。これらの副搬送波の正確な物理的場所は、フレームごとに変化する場合があることを理解されたい。
【００１８】
共有資源の組および順序付けパターンの表示を、基地局１０３から移動局１０１へ、制御チャンネルを用いて信号送信しても良い。さらに、制御チャンネルは、共有資源の組の開始フレームと予め規定した関係を有する任意のフレームにおいて送信しても良い。共有資源の組は、制御チャンネルが送信されるフレームと同じフレームにおいて始まっても良いし、制御チャンネルが送信されるフレームに対して固定された開始点を有していても良いし、または制御チャンネルにおいて明白に信号送信されても良い。
【００１９】
移動局がグループ化されてグループ内の位置（場所とも呼ばれる）が割り当てられ、共有資源の組がグループに割り当てられた後で、基地局１０３は、どの移動局がある特定の時間にアクティブであるか、またいくつかの実施形態においては、各移動局に割り当てられる割り当て資源の数を、示さなければならない。
【００２０】
本明細書に記載した方法および設備は、順方向リンク（ＦＬ）またはダウンリンク（基地局から移動局）および逆方向リンク（ＲＬ）またはアップリンク（移動局から基地局）動作の両方に適用しても良い。
【００２１】
次に、順方向リンク動作について以下に説明する。図５ａに、どのように資源割り当てを移動局１０１に示しても良いかを例示する。図５において、メッセージ５００には、第１のメッセージ・フィールドである制御ヘッダ５０２が含まれている。これは、共有資源に関する制御情報またはグループ内のユーザに関する制御情報を示す。これについては以下でさらに説明する。第２のメッセージ・フィールドである利用資源５１０は、どの共有資源の組が用いられているか、すなわち現時点で使用中であるかを示す。第３のメッセージ・フィールドである第１のＨＡＲＱ送信割当て５３０は、持続的な資源を割り当てるために用いられる。これについては以下でさらに説明する。
【００２２】
図５ｂに、図５ａのメッセージのさらなる詳細の例を与え、またどのようにメッセージ５００がビット・マッピングを用いて情報を伝え得るかを示す。図５ｂは、前述したように制御チャンネル上で移動局に送っても良い情報要素５０１を表わしている。前述したような移動局グループの場合、情報要素５０１を、共有の制御チャンネルを用いて送っても良い。情報要素５０１は、図示するように多くのオクテットを含んでいても良く、また、たとえば制御チャンネルを共有するグループ内の移動局の数に応じて、サイズが変化しても良い。したがって情報要素５０１は、必要な情報を移動局グループに伝えるための任意の適切なサイズであっても良い。
【００２３】
こうして、利用資源フィールド５１０は、多くのビットマップ・フィールド、たとえば図５ｂに示すように、オクテット１７のビット００５〜ビット００８、物品５０９を含んでいても良い。例示した例では、共有資源の組内の各資源は、利用資源フィールドにおけるビットマップ位置に対応する。たとえば、共有の制御チャンネルをデコードする移動局は、どの共有資源の組が現時点で使用中であるかを、利用資源フィールド５１０に基づいて決定することができる。たとえば、共有資源の組内に４つの資源が存在していて、第１の資源はオクテット１７のビット００５に対応し、第２の資源はオクテット１７のビット００６に対応し、第３の資源はオクテット１７のビット００７に対応し、および第４の資源はオクテット１７のビット００８に対応する場合、各移動局は、４つの共有資源のうちどれが使用中であるかを、オクテット１７のビット００５〜００８をチェックすることによって決定しても良い。使用資源の表示を、２値の「０」または「１」のどちらかを用いることによって与えても良いし（利用可能な資源を反対の状態を用いて示す）、または他の何らかの適切な２値の値を用いても良い。
【００２４】
いくつかの実施形態においては、利用資源フィールド５１０におけるビットの少なくとも１つをグループ制御ビットとして規定し、またこのビットを用いて、グループ内の全体の設定移動局に対して妥当なグループ制御メッセージの存在を示す。グループ制御ビット表示子が２値の「１」または他の何らかの適切な値であるとき、各移動局は、グループ制御ビット表示子に対応する資源上で制御メッセージをデコードする。グループ制御ビットが、たとえば「０」であるとき、資源は、規則的なデータに対して利用可能である。グループ制御メッセージは、共有資源の組、特定の移動局に対する位置再割当て、特定の移動局に対する付加的なトラフィック資源割り当て、または他の任意の制御情報に関する情報を含んでいても良い。
【００２５】
制御ヘッダ５０２を用いて、グループ内の共有資源またはユーザのどちらかに関連する制御情報を伝える。いくつかの実施形態においては、制御ヘッダ５０２は、「順序付けパターン反転フィールド」５１５と示される単一のビットを含む。たとえば、２値のビット（たとえばビット００１）によって、具体的に指定された順序付けパターンに昇順で従うのか降順で従うのかを示しても良い。こうして、２値の「０」が、移動局が第１の指定された順序付けパターンを昇順で用いるべきである（反転されない）ことを示しても良いし、一方で２値の「１」が、順序付けパターンを反転すべきであること、すなわち降順であるべきことを示しても良い。
【００２６】
他の実施形態においては、複数の順序付けパターンを確立しても良く、また基地局１０３が、順序付けパターンを制御ヘッダ５０２の順序付けパターン・フィールド５１３を介して移動局１０１グループが用いるべきであることを示しても良い。したがって基地局１０３は、各スケジューリング・インスタンスの間の所望の順序付けパターンを示しても良い。さらに、順序付けパターンを、通話設定において確立して、制御ヘッダ５０２の一部として信号送信しなくても良い。こうして、図５ｂにおいて、ビット００２、００３、および００４は、適切な順序付けパターンを示すための順序付けパターン・フィールド５１３を構成しても良く、またビット００１は、順序付けパターンが昇順であるか降順であるかを示すための順序付けパターン反転フィールド５１５を構成しても良い。
【００２７】
図５ａおよび５ｂにおいて、第１のＨＡＲＱ送信割当てフィールド５３０は、無線資源割り当て重み付け情報を示し、また移動局に割り当てられる無線資源の割合を示しても良い。無線資源割り当て重み付け情報は、各移動局に割り当てられる無線資源の特定された数またはサイズを示しても良い。
【００２８】
ハイブリッド自動再送要求（ＨＡＲＱ）を用いるいくつかの実施形態においては、一連のＨＡＲＱ送信機会における第１の送信に対して、資源を割り当てる、すなわち、割り当てのサイズ（ブロックの数）のみを示す。さらに、資源を持続的な方法で割り当てる。持続的な割り当てとは、同じ移動局に対して同じ資源の割り当てが、タイマが経過するか、コール・バーストが終了するか、パケットが確認されるまで、または基地局１０３が資源を別の移動局に割り当てるまで、行なわれることを意味する。
【００２９】
特に、第１のＨＡＲＱ送信割当てフィールド５３０を用いて、資源を、第１のＨＡＲＱ送信機会が規定される移動局に割り当てる。第１のＨＡＲＱ送信割当てフィールド５３０は、第１のＨＡＲＱ送信機会が規定される移動局当たり１ビットを含んでいても良く、移動局に資源が割り当てられているか否かを示しても良い。第１のＨＡＲＱ送信割当てフィールド５３０に対して単一のビットを用いる場合、基地局は、データを、第１のＨＡＲＱ送信割当てフィールドにおいてアクティブであると示されたＮ番目の移動局に、利用資源フィールド５１０におけるＮ番目の未使用資源に対応する資源上で送信する。ここでＮは正の整数である。資源を、前述したように持続的な方法で割り当てる。
【００３０】
あるいは、第１のＨＡＲＱ送信割当てフィールド５３０は、移動局当たり２ビットを含んでいても良く、割り当てられた資源の数を示しても良い。この場合、２値の「００」は送信がないことを示し、「０１」、「１０」、および「１１」は、種々の数の資源を占有する送信を示す。たとえば、「０１」は単一の資源に対応していても良く、「１０」は２つの資源に対応していても良く、「１１」は３つの資源に対応していても良い。また非線形マッピングを用いても良いことを理解されたい。たとえば、「０１」は単一の資源に対応していても良く、「１０」は２つの資源に対応していても良く、「１１」は４つの資源に対応していても良い。
【００３１】
第１のＨＡＲＱ送信割当てフィールド５３０において複数のビットを用いる場合、基地局は、データを、第１のＨＡＲＱ送信割当てフィールドにおいてアクティブであると示されたＮ番目の移動局に、Ｍ＋１番目の未使用資源から始まる対応する数の資源を用いて送信する。ここでＭは、以前のＮ−１移動局に対して割り当てられた資源の総数であり、Ｎは正の整数であり、Ｍは負でない整数である。
【００３２】
いくつかの実施形態においては、無線資源割り当て重み付け情報は、ボコーダ・レート、変調、またはコーディング情報を含んでいても良い。この場合もやはり、資源を、前述したように持続的な方法で割り当てる。移動局の第１のＨＡＲＱ送信機会の或るインスタンスに対応するロング・フレームの間に施される持続的な割当ては、移動局の第１のＨＡＲＱ送信機会の次のインスタンスに対応するロング・フレームを越えて続いても良い。このように実施することによって、基地局は、２つのパケットを同じ移動局に同時に送信することができる。この技術のことを本明細書ではしばしば、同時送信と言う。
【００３３】
制御ヘッダ５０２（用いる場合）、利用資源フィールド５１０、および第１のＨＡＲＱ送信割当てフィールド５３０を含む情報要素５０１を、共有の制御チャンネル上で移動局グループに送る。また、前述したように、移動局グループは時間周波数資源の組も共有している。共有の制御チャンネルは通常、基地局１０３によって、各ロング・フレームにおいて、ロング・フレーム内で資源を割り当てるために送信されるが、共有の制御チャンネルは、基地局１０３によって、先行する任意のロング・フレームにおいて送信できることが理解される。
【００３４】
音声を含むいくつかのアプリケーションに対しては、パケットは比較的一定のレートで到達する。たとえばＶｏＩＰアプリケーションの場合には、ボコーダ・フレームが、ほぼ２０ｍｓごとに到達する場合がある。図３を再び参照して、ＶｏＩＰアプリケーションの場合には、ボコーダ・フレームは、ロング・フレーム番号０の開始で始まってほぼ２０ｍｓごとに到達する場合がある。基地局は、ヘッダ・データをボコーダ・フレームに加えて、フレームをエンコードして音声パケットを形成する。次に基地局は、音声パケットを含む符号の少なくとも一部を変調して、ロング・フレーム番号０において移動局に送信する。この送信を第１の送信と言う。
【００３５】
パケットを受信した移動局は、それをデコードして音声情報を得ることを試みる。移動局が、第１の送信から得られる音声パケットのデコードに成功した場合、移動局は確認応答（ＡＣＫ）メッセージを基地局へ送る。ＡＣＫを受信すると、基地局は、何らの付加情報も送信しない、すなわち、ロング・フレーム３、６、および９において、音声パケットを移動局に再送信することはしない。実際には、利用チャンネル・フィールド５１０によって、これらの資源を他の移動局が使用することができる。しかし移動局が音声パケットのデコードに成功できなかった場合、移動局は負の確認応答（ＮＡＣＫ）メッセージを基地局へ送る。
【００３６】
基地局は、ＮＡＣＫメッセージを受信すると、ロング・フレーム番号３において、音声パケットの付加的な符号を移動局に送る。これを第２の送信と言う。移動局が第２の送信の後に音声パケットのデコードに成功した場合、移動局はＡＣＫメッセージを基地局に送る場合がある。ＡＣＫメッセージを受信すると、基地局は、ロング・フレーム６および９において、何らの付加情報も移動局に送信することを控える。しかし移動局が音声パケットのデコードに成功できなかった場合、移動局はＮＡＣＫメッセージを基地局に送り、基地局はこれに応答して、ロング・フレーム番号６において、音声パケットの付加的な符号を第３の送信において送る。いくつかの実施形態においては、ＡＣＫを送信しないことによってＮＡＣＫを示し、したがって応答がないことによって、移動局はＮＡＣＫ応答を示しても良い。
【００３７】
同様に移動局は、自身が第３の送信のデコードに成功することに応じて、ＡＣＫまたはＮＡＣＫメッセージを送っても良く、ＮＡＣＫメッセージの場合には、基地局は、ロング・フレーム番号９において、音声パケットの付加的な符号を第４の送信において送る。この場合もやはり、移動局は、自身がパケットのデコードに成功することに応じてＡＣＫまたはＮＡＣＫメッセージを送っても良い。持続的な割り当てを用いる場合、基地局は、ロング・フレーム０、３、６、および９において、データを移動局に同じ時間周波数資源上で送信する。
【００３８】
第１のＨＡＲＱ送信上でのみ示される持続的な割当てを容易にするためには、グループ位置とＨＡＲＱ送信機会との間の所定の関係が必要である。図６に、種々の実施形態によるこの所定の関係の例を例示する。図６によって例証される実施形態においては、主な移動局グループが４つのサブグループにさらに再分割されている。各サブグループには、自身のＨＡＲＱ送信機会に対して特定の並びが割り当てられる。こうして、図６には、パケットＮ６０９およびパケットＮ＋１  ６１１として示される連続する２つのエンコードされたパケットが例示されている。ここで、Ｎは正の整数である。こうして、基地局は、サブグループ０  ６０１に対するパケットＮの第１、第２、第３、および第４のＨＡＲＱ送信機会が、ロング・フレーム番号０、３、６、および９において（それぞれ図示するように）起こると規定しても良い。同様に、基地局は、サブグループ１  ６０３に対するパケットＮの第２、第３、および第４のＨＡＲＱ送信機会ならびにパケットＮ＋１の第１のＨＡＲＱ送信機会が、ロング・フレーム番号０、３、６、および９において（それぞれ図示するように）起こると規定しても良い。
【００３９】
移動局が複数のサブグループに割り当てられている場合、基地局は、同じスーパー・フレームの複数のロング・フレームの間に移動局へのパケットの送信を開始しても良い。この結果、基地局は、ある特定のロング・フレームの間に特定の移動局に複数のパケットを同時に送信することができる。たとえば、基地局は、あるパケットの第２のＨＡＲＱ送信を送信する一方で、第２のパケットの第１のＨＡＲＱ送信を送信することを、特定のロング・フレームの間に行なっても良い。さらに、種々のタイプの移動局が、移動局の処理能力に応じて、異なる数の同時パケット送信をサポートしても良い。したがって、移動局が基地局に、移動局がデコードすることができる同時パケット送信の数を示しても良い。表示は、移動局の能力特性であっても良く、これを基地局に制御チャンネル上で送っても良い。
【００４０】
次に図６に戻って、プロセスをサブグループ２  ６０５およびサブグループ３  ６０７に対して、図６に示すように繰り返す。ＨＡＲＱ送信機会の特定の並びを、その後のパケットに対して、既知の間隔で、たとえば図６に示すような各スーパー・フレームにおいて繰り返す。サブグループとＨＡＲＱ送信機会との間で確立された関係に基づいて、基地局は移動局をサブグループに、グループ位置に基づく系統的な方法で割り当てても良い。
【００４１】
たとえば、サイズ「Ｋ」の移動局グループの場合、基地局は、第１のＫ／４グループ位置をサブグループ０に属するように規定し、第２のＫ／４グループ位置をサブグループ１に属するように規定し、第３のＫ／４グループ位置をサブグループ２に属するように規定し、また最後のＫ／４グループ位置をサブグループ３に属するように規定しても良い。別の実施形態においては、サブグループ０が、第１のグループ位置から始まって４グループ位置ごとに対応しても良いし、サブグループ１が、または第２のビットマップ位置から始まって４グループ位置ごとに対応しても良い等である。
【００４２】
代替的な実施形態においては、基地局は、各移動局を１または複数のサブグループに明白に割り当てる。たとえば、４つのサブグループがある場合、各移動局を、４つのサブグループのうちの２つに割り当てても良い。このようにして、基地局は、インターレース・パターンを構成する４つのロング・フレームのうちの２つにおいて、各移動局へのパケットの送信を開始しても良い。関係する実施形態においては、すべての移動局をすべてのサブグループに割り当てる。その結果、基地局は、インターレース・パターンを構成する各ロング・フレームにおいて、パケットの送信を開始することができる。制御チャンネル・オーバーヘッドは、各移動局を１つのサブグループのみに割り当てたときに最小であり、各移動局をすべてのサブグループに割り当てたときに最大である。他方で、潜在的な遅延は、各移動局を１つのサブグループのみに割り当てたときに最大であり、各移動局をすべてのサブグループに割り当てたときに最小である。したがって基地局は、制御チャンネル・オーバーヘッド対遅延をトレードオフするように移動局を１または複数のサブグループに割り当てても良い。基地局はすべての移動局を同じ数のサブグループに割り当てる必要はない。たとえば、移動局を、遅延を小さくするために複数のサブグループに割り当てても良い。この場合、決定は、基地局が決定するパラメータに基づいてなされる。パラメータは、たとえば（これらに限定されないが）サービスのＱｏＳ値、ネットワークを通して生じる遅延を記述する値、測定された遅延、ならびにユーザがオペレータとの間でサブスクライブするサービスのレベルである。
【００４３】
種々の実施形態のすべてに対して、グループ位置とＨＡＲＱ送信機会との間の所定の関係によって、グループ内の各移動局がグループの他のすべてのメンバに対するＨＡＲＱ送信機会を演繹的に知ることができるということを理解することは重要である。所定の関係は、基地局から移動局へ制御チャンネル上で送信しても良いし、または移動局に（たとえばメモリに）記憶しても良い。
【００４４】
いくつかの実施形態においては、基地局において、移動局を各サブグループに割り当てる基準を確立する。１つの考えられる基準は、移動局をサブグループに、その有効範囲エリア１０７に対する位置に基づいて、またはもっと具体的に移動局の順方向リンク・ジオメトリに基づいて配置することである。このような位置情報は、移動局から報告されるチャンネル品質情報から決定しても良い。たとえば、順方向リンク・ジオメトリが−１．５ｄｂ未満である移動局をサブグループ０内に配置することができ、順方向リンク・ジオメトリが−１．５ｄｂ〜０ｄｂである移動局をサブグループ１内に配置することができ、順方向リンク・ジオメトリが０ｄｂ〜３ｄｂである移動局をサブグループ２内に配置することができ、順方向リンク・ジオメトリが３ｄｂを上回る移動局をサブグループ２内に配置することができる。グループ位置を割り当てたら、移動局を最初にこれらのサブグループのうちの１つに配置する。この実施形態においては、各サブグループに割り当てられる等しくない数の移動局が存在していても良い。さらに、割り当てられたグループ位置は、割り当てられたサブグループに対して既知の関係がなくても良い。その結果、基地局は、移動局に、その割り当てられたサブグループおよび割り当てられたサブグループ位置を示しても良い。
【００４５】
さらに、第１のＨＡＲＱ送信割当てフィールド５３０は、第１のＨＡＲＱ送信機会が規定されたサブグループに割り当てられる移動局の数に応じて、特定のインターレース・パターンの各ロング・フレームにおいて異なるサイズを有することができる。いったん、利用資源フィールド５１０および第１のＨＡＲＱ送信割当てフィールド５３０が決定されて、それらを送信する準備ができたら、第１のＨＡＲＱ送信機会が規定されたサブグループ内のユーザに対するチャンネル品質情報に基づいて、コーディングおよび送信パワーの量を設定する。サブグループが、移動局順方向リンク・ジオメトリを考慮することによって構成されたので、異なる量のコーディングおよび送信パワーが、インターレース・パターンの各ロング・フレームにおいて必要である。基地局は、移動局のジオメトリが変化したら、移動局を１つのサブグループから別のサブグループへ、サブグループ変化メッセージを用いて動かしても良い。
【００４６】
図７および図８に、利用資源フィールド５１０および第１のＨＡＲＱ送信割当てフィールド５３０を有する種々の実施形態の典型的な割り当て方式を例示する。図８では、図７に示す例の後の時間におけるある瞬間、すなわちロング・フレーム番号３のスナップショットを想定している。図７に示すシナリオは、ロング・フレーム番号０のスナップショットである。
【００４７】
図７を参照して、８つの移動局がグループ７３０に割り当てられ、これらに対してグループ位置１〜８が割り当てられている。移動局３（ＭＳ３）にはグループ位置１が割り当てられ、ＭＳ６にはグループ位置２が割り当てられ、ＭＳ７にはグループ位置３が割り当てられ、ＭＳ９にはグループ位置４が割り当てられ、ＭＳ１０にはグループ位置５が割り当てられ、ＭＳ１３にはグループ位置６が割り当てられ、ＭＳ１４にはグループ位置７が割り当てられ、ＭＳ１７にはグループ位置８が割り当てられている。
【００４８】
グループ位置１および２がサブグループ０に割り当てられ、グループ位置３および４がサブグループ１に割り当てられ、グループ位置５および６がサブグループ２に割り当てられ、グループ位置７および８がサブグループ３に割り当てられている。サブグループとＨＡＲＱ送信機会との間の関係は、図６に示すものと同様である。位置情報を割り当てることに加えて、基地局は、グループ７３０に、共有資源の組７０８と割り当てられた順序付けパターン７７０（資源７０８を割り当てる順番を示す）との表示を送信する。この情報を、制御チャンネル上で基地局から移動局へ送信しても良い。割り当てられた順序付けパターン７７０が共有資源の組７０８に適用されると、資源は７０８に示すように番号付けされる。
【００４９】
基地局は、利用資源フィールド７５０および第１のＨＡＲＱ送信割当てフィールド７６０を、共有の制御チャンネルの一部として送信する。利用資源フィールドは長さが８のビットマップであり、各ビットマップ位置は共有資源の１つに対応する。特に、第１のビットマップ位置は第１の共有資源に対応し、第２のビットマップ位置は第２の共有資源に対応する等である。利用資源フィールド７５０における「１」は、共有資源の組における対応する資源が、進行中の送信に対して現時点で用いられていることを示し、一方で、利用資源フィールド７５０における「０」は、共有資源の組における対応する資源が、進行中の送信に対して現時点で用いられておらず、したがって第１の送信に対して利用可能であることを示す。利用資源フィールドに基づいて、グループ内の移動局は、どの資源が進行中の送信に対して用いられているかを、７０９に示すように決定する。第１のＨＡＲＱ送信割当てフィールド７６０は長さが２のビットマップであり、各ビットマップ位置は、第１のＨＡＲＱ送信機会が規定される移動局に対応する。この例では、第１のＨＡＲＱ送信割当てフィールド７６０における「１」は、対応する移動局に共有資源の組の１つが割り当てられていることを示し、一方で、第１のＨＡＲＱ送信割当てフィールド７６０における「０」は、対応する移動局に共有資源の組の１つが割り当てられていないことを示す。第１のＨＡＲＱ送信割当てフィールド７６０の第１のビットマップ位置は、サブグループ内の第１の移動局に対応付けられ、一方で、第１のＨＡＲＱ送信割当てフィールド７６０の第２のビットマップ位置は、サブグループ内の第２の移動局に対応付けられる。この例では、第１のＨＡＲＱ送信割当てフィールド７６０におけるＮ番目の「１」に対応する移動局には、利用資源フィールド７５０によって規定されるＮ番目の未使用資源が割り当てられる。
【００５０】
これらのルールに基づいて、ロング・フレーム番号０に対しては、基地局は共有資源の組７０８からの資源をサブグループ０に、７１０に示すように持続的な方法で割り当てる。特に、ＭＳ３には７０９の第１の未使用資源を割り当て、ＭＳ６には７０９の第２の未使用資源を割り当てる。資源割り当て７１０における「Ｘ」は、資源が別の移動局によって用いられていることを示す。
【００５１】
基地局は、利用資源フィールド７５０および第１のＨＡＲＱ送信割当てフィールド７６０をエンコードして、共有の制御チャンネル上で送る。移動局は、共有の制御チャンネルを受信およびデコードして、移動局の利用資源フィールド７５０および第１のＨＡＲＱ送信割当てフィールド７６０を決定する。たとえば、ロング・フレーム番号に基づいて、ＭＳ３およびＭＳ６は、それらに対して第１のＨＡＲＱ送信機会が規定されていることを決定する。次にＭＳ３およびＭＳ６は、どの共有資源の組が進行中の送信に対して現時点で用いられているかを、利用資源フィールド７５０から決定する。次に、第１のＨＡＲＱ送信割当てフィールド７６０に基づいて、ＭＳ３は、未使用資源の組から資源が割り当てられているのは第１の移動局であることおよび１つの資源が割り当てられていることを、決定しても良い。したがって、ＭＳ３は、７１０に示すように自身の資源割り当てを決定する。同様にＭＳ６は、未使用資源の組から資源が割り当てられているのは第２の移動局であることおよび１つの資源が割り当てられていることを決定しても良い。ＭＳ６は、１つの資源が以前に割り当てられたことを決定し、したがって、７１０に示すように自身の割り当てを決定する。
【００５２】
図８に、ロング・フレーム番号３に対する割り当て例を示す。図６を再び参照して、基地局は資源を、その第１のＨＡＲＱ送信機会に対してサブグループ３に割り当て、その第２のＨＡＲＱ送信機会に対してサブグループ０に割り当て、その第３のＨＡＲＱ送信機会に対してサブグループ１に割り当て、その第４のＨＡＲＱ送信機会に対してサブグループ２に割り当てる。図８に示すように、サブグループ３における移動局はここでは、第１のＨＡＲＱ送信割当てフィールド８６０のビットマップ位置に対応する。
【００５３】
たとえば、ＭＳ６は、ＮＡＣＫメッセージを基地局へ送っていても良く、一方で、ＭＳ３はＡＣＫメッセージを送っていても良い。さらに、基地局は、たとえばＭＳ１７へ送信すべきだがＭＳ１４には送信すべきでない新しいパケットを有していても良い。こうして基地局は、どの共有資源の組が現時点で用いられているかを示す利用資源フィールド８６０と、第１のＨＡＲＱ送信機会が規定されるどの移動局に共有資源の１つが割り当てられているかを示す第１のＨＡＲＱ送信割当てフィールド８６０とを送る。ＭＳ６がＮＡＣＫを送ったので、また基地局が資源を持続的な方法で割り当てているので、ＭＳ６には、ロング・フレーム番号３において資源番号５が割り当てられる。基地局は、他の移動局に対して、資源番号５が進行中の送信に対して用いられていることを、利用資源フィールド８５０を用いて示す。ＭＳ３がＡＣＫを送ったので、基地局は、他の移動局に対して、資源番号２が進行中の送信に対して用いられていることを、利用資源フィールド８５０を用いて示す。
【００５４】
基地局は、利用資源フィールド８５０および継続フィールド８６０をエンコードして、共有の制御チャンネル上で送る。ロング・フレーム番号に基づいて、ＭＳ１４およびＭＳ１７は、それらに対して第１のＨＡＲＱ送信機会が規定されていることを決定する。次に、ＭＳ１４は、第１のＨＡＲＱ送信割当てフィールド８６０に基づいて、共有資源のうちの１つが割り当てられてはいないことを決定し、一方でＭＳ１７は、第１のＨＡＲＱ送信割当てフィールド８６０に基づいて、共有資源のうちの１つが割り当てられていることを決定する。そして、ＭＳ１７は、どの共有資源の組が進行中の送信に対して現時点で用いられているかを、利用資源フィールド８５０から決定する。次に、第１のＨＡＲＱ送信割当てフィールド８６０に基づいて、ＭＳ１７は、未使用資源の組から資源が割り当てられているのは第１の移動局であること、および１つの資源が割り当てられていることを決定しても良い。したがって、ＭＳ１７は、８１０に示すように自身の資源割り当てを決定する。
【００５５】
図９に、割当て（第１の送信）フィールド５５０および割当て（第２の送信）フィールド５６０を有する種々の実施形態の典型的な割り当て方式を例示する。たとえば、図９を参照して、サブ・グループ０内では２つのサブ・サブグループが規定されている。すなわちサブ・サブグループ０およびサブ・サブグループ１である。サブ・サブグループ０内の移動局にはグループ位置が割り当てられている。さらにグループ位置は、サブ・グループにその第１のＨＡＲＱ送信機会が割り当てられているときに、共有の時間周波数資源の１つに対応付けられている。
【００５６】
図９を参照して、第１の位置は第１の共有資源９９０に対応付けられる。第２の位置は第２の共有資源９９２に対応付けられる。第１の位置が「１」によって示される場合、位置１に対応付けられる移動局には、位置１に対応付けられる共有資源９９０が割り当てられる。第１のビットマップ位置が「０」によって示される場合、残りの移動局は、ビットマップ位置１に対応付けられる移動局が、このロング・フレームの間にサービスされていないことを認知し、したがって、対応付けられる資源が利用可能であることも認知する。同様の関係が第２のビットマップ位置に対して存在する。この説明のための例では、割当て（第１の送信）は、移動局当たり１ビットを有していて、「１」は１つの資源が割り当てられていることを示し、「０」は資源が割り当てられていないことを示す。
【００５７】
第１の位置が「０」によって示されているため、残りの移動局は、第１の共有資源９９０が現時点ではＭＳ３によって用いられていないことを認知し、したがって、第１の共有資源９９０が利用可能であることも認知する。さらに、第２のビットマップ位置が「１」によって示されているため、残りの移動局は、第２の共有資源９９２が現時点でＭＳ６によって用いられていることを認知し、したがって、第２の共有資源９９２が利用可能でないことも認知する。特に、ＭＳ７は、第１の共有資源から資源の割り当てを開始することを認知し、一方で、ＭＳ１０は、資源を割り当てるときに第２の共有資源９９２を省略することを認知する。第１のサブ・サブ・グループのサイズは、ゼロから全体のサブ・グループのサイズまで変化することができる。第１のサブ・サブグループのサイズは、制御チャンネル上に示しても良いし、割当て（第１の送信）フィールドと同じメッセージ内に示しても良いし、またはサブ・グループのサイズに依存してあらかじめ規定されたルールに基づいても良い。
【００５８】
いくつかの実施形態においては、異なる基地局がそれらのサブグループを、低ジオメトリ・サブグループに対する第１の送信機会が、隣接する基地局において異なるロング・フレーム内に配置されるように、規定しても良い。一例として、各基地局１０３が自身の有効範囲エリア１０７内に３つのセクタを有し、３つのセクタをセクタ０、セクタ１、およびセクタ２と示すシナリオについて考える。図１０に、第１のＨＡＲＱ送信機会を、異なるセクタ内の異なるサブグループに対してどのように規定し得るかを例示する。
【００５９】
こうして、３つのサブグループを規定しても良い。すなわちサブグループ０、サブグループ１、およびサブグループ２である。サブグループ０は、低ジオメトリ・サブグループであり、サブグループ１は、中間ジオメトリ・サブグループであり、サブグループ２は高ジオメトリ・サブグループである。図１０を参照して、セクタ０において、資源を、第１のＨＡＲＱ送信機会の場合に、ロング・フレーム０、６、および３におけるそれぞれサブグループ０、１、および２に対して割り当てる。セクタ１において、資源を、第１のＨＡＲＱ送信機会の場合に、ロング・フレーム３、０、および６におけるそれぞれサブグループ０、１、および２に対して割り当てる。セクタ２において、資源を、第１のＨＡＲＱ送信機会の場合に、ロング・フレーム６、３、および０におけるそれぞれサブグループ０、１、および２に対して割り当てる。
【００６０】
このような構造は、他のセクタの干渉の影響を平均化することに対して優位である。特に、３つのセクタにおける１つのみが、利用資源フィールド５１０と第１のＨＡＲＱ送信割当てフィールド５３０とを含む共有の制御チャンネルを、特定のロング・フレームの間に低ジオメトリ・サブグループに送信している。
【００６１】
関係する実施形態においては、最低ジオメトリを伴う移動局に対応するサブグループ（低ジオメトリ・サブグループと示す）の各メンバに、ＶｏＩＰ通話の間に持続的な資源を割り当てる。この実施形態においては、第１のＨＡＲＱ送信機会が低ジオメトリ・サブグループに対して規定されるロング・フレームの間に、第１のＨＡＲＱ送信割当てフィールド５３０を、図５ｃに示すような資源再割当てフィールド５４０と取り替える。代表的な実施形態においては、共有資源の組における各資源は、資源再割当てフィールド５４０におけるビットマップ位置に対応する。これらのロング・フレームの間に、各移動局は、共有の制御チャンネルをデコードして、利用資源フィールド５１０および資源再割当てフィールド５４０を取り出す。低ジオメトリ・サブグループは、共有資源の１つが割り当てられているか否かを、利用資源フィールド５３０における自身の割り当てられた持続的な資源に対応するビットをチェックすることによって判定する。
【００６２】
ビット「１」である場合、基地局はパケットを移動局に送信する。ビットが「０」である場合、基地局はパケットを移動局に送信しない。低ジオメトリ・サブグループに属する移動局が、共有の制御チャンネルをデコードすることができない場合、これらの移動局は、基地局がパケットを送信していることを想定しても良く、その結果、これらの移動局が共有の制御チャンネルをデコードする必要がなくなる。低ジオメトリ・サブグループ移動局が共有の制御チャンネルをデコードすることは、やはり優位である。なぜならば、基地局がパケットを移動局に送信していない場合、移動局は、自身の次の第１のＨＡＲＱ送信機会が規定されるまで、低減パワー・モードに入っても良いからである。
【００６３】
残りの移動局は、新しい資源割り当てを以下のように決定する。資源再割当てフィールド５４０におけるＮ番目の「１」に対応する資源が以前に割り当てられている移動局には、利用資源フィールド５１０におけるＮ番目の「０」に対応する資源を割り当てる。この資源割り当ては持続的であっても良い。前述の例では、利用資源フィールド５１０および資源再割当てフィールド５４０を、第１のＨＡＲＱ送信機会を低ジオメトリ・サブグループに対して規定したロング・フレームの間に用いた。代替的な実施形態においては、利用資源フィールド５１０および資源再割当てフィールド５４０を、各ロング・フレームにおいて用いて資源を割り当てる。
【００６４】
前述した種々の実施形態においては、異なる２つの有効範囲エリア１０７における基地局からのマルチキャストを、以下の手順に従って行なっても良い。最初に、移動局に、前述したように第１の有効範囲エリア１０７におけるグループ位置を割り当てる。第１の有効範囲エリアおよび第２の有効範囲エリアの両方における両基地局からのマルチキャスティングが優位であると判定されたときには、第１の有効範囲エリアにおける基地局は、特定の移動局に対する現在のパケットおよび現在の資源割り当てを、第２の有効範囲エリアにおける基地局に送信する。なお、第１の有効範囲エリアにおける基地局と第２の有効範囲エリアにおける基地局とは、同じであっても良い。第２の有効範囲エリアにおける基地局は、第１の有効範囲エリアにおける基地局から示された資源に対応するビットを、自身の利用資源フィールド５１０における「１」に設定し、現在のパケットを目標移動局に対して、第１の有効範囲エリアにおける基地局から示された資源上で送信する。なお移動局には、第２の有効範囲エリアにおけるグループ位置は割り当てない。
【００６５】
いくつかの実施形態においては、共有の制御チャンネルは、割当て（第１の送信）フィールド５５０および割当て（その後の送信）フィールド５６０から構成され、これは図５ｄに示す通りである。この実施形態においては、各移動局は、割当て（第１の送信）フィールド５５０または割当て（その後の送信）フィールド５６０におけるビットに対応付けられる。この実施形態においては、基地局は、各サブグループ内に２つのサブ・サブグループを確立しても良い。基地局は、特定の資源ブロックを第１のサブ・サブグループ（サブ・サブグループ０）の各メンバに対応付けることを、サブグループに対して第１のＨＡＲＱ送信機会が規定されたときに行なう。第１のＨＡＲＱ送信機会が規定されたサブグループの第１のサブ・サブグループ内の移動局に対応するビットを「１」に設定した場合、その移動局に、対応付けられた資源を割り当てられる。第１のＨＡＲＱ送信機会が規定されたサブグループの第２のサブ・サブグループ内の移動局の組におけるＮ番目の移動局と、残りのサブグループ内の移動局とに、第１のＨＡＲＱ送信機会が規定されたサブグループの第１のサブ・サブグループに対して割り当てられていないＮ番目の資源を割り当てる。
【００６６】
いくつかの実施形態においては、送信中に蓄積される遅延を緩和するために、サブグループに割り当てられた移動局に周期的に付加的な送信機会を与える。これは、スーパー・フレーム２１０が音声フレームよりも長い状況の場合に必要となることがある。これに対処するために、追加ビットを移動局に、Ｎ番目の送信機会ごとに割り当てる。したがって、例として、７３０におけるサブ・グループ０のＭＳ３について考える。この移動局の第１の送信機会が４回発生する（Ｎ＝４）ごとに、ビットマップ７６０は、ＭＳ３に対応する追加ビットであって、ビットマップ７６０の終わりに添付され、移動局ＭＳ３がこの第２の割当てビットを確認し得るように順序付けられた追加ビットを有する。この付加的な送信割当てのその後のマッピングは、以前の例の場合と同様である。代替的な実施においては、Ｐ番目の追加ビット（Ｎ番目の送信機会ごとに付加される）を、７６０におけるＰ番目の第１のＨＡＲＱ割当てビット位置に結合することができる。これらのビットは通常、ビットマップ７６０の終わりに添付され、それらの存在および場所は制御メッセージ内に示される。
【００６７】
いくつかの実施形態においては、選択した移動局に、あらかじめ規定された資源から第１の送信割当てを与えても良い。この資源は、必ずしも共有資源の一部ではなく、選択した移動局に対してその第１の送信時にのみ利用可能である。第１の送信割当てを行なった後で、移動局を、その第２の送信時に、ビットマップ７６０における第１の送信割当てを有する他の任意の移動局として処理し、この処理は、その送信が実際はこの移動局の第２の送信であったとしても行なう。これらの選択した移動局の第２の送信および残りの送信に送信割り当てを、ビットマップ７６０、割り当てられた資源７１０を用いて与え、利用資源をビットマップ７５０を用いて示す。
【００６８】
別の代替的な実施形態においては、各移動局に、初期送信をその移動局に伝えるときに常に用いられる特定のあらかじめ規定された資源を（資源割り当て７１０から）割り当てる。その結果、移動局が、自身の初期送信が配置される場所を認知することが保証される。この実施形態において、利用資源ビットマップ７５０には各ビット場所に「１」が含まれていて、対応する資源が初期送信を、その対応する資源が割り当てられた移動局に伝えていることを示している。割当てビットマップ７６０にも、各送信資源に対するビットが含まれている。しかし割当てビットマップ７６０は、機能として、対応する資源を直前の送信機会に用いていたパケット送信が、現在の送信機会において継続される（おそらく異なる資源上だが）ということを示す機能がある。これらの継続送信を、利用資源ビットマップ７５０内に対応する「１」を有さない利用可能な資源に束ねることを、ラウンド・ロビンを用いて、または移動局に予め認知されているかもしくは移動局に信号送信される他の適切な方法を用いて、行なう。
【００６９】
逆方向リンクは、順方向リンクに類似する仕方で動作し、その基本的な違いは、以下で強調し詳述する通りである。一般的に、順方向リンクの場合、基地局スケジューリング・エンティティが、どの移動局に対してデータを送信するかを決定するとともに、利用資源フィールド５１０および第１のＨＡＲＱ送信割当てフィールド５３０を用いて、グループ内の移動局に、どの移動局がデータを受信しているかを示す。逆方向リンクの場合、基地局スケジューリング・エンティティが、どの移動局からデータを受信するかを決定するとともに、利用資源フィールド５１０および第１のＨＡＲＱ送信割当てフィールド５３０を用いて、グループ内の移動局に、どの移動局にデータ送信用の資源が許可されているかを示す。順方向リンクおよび逆方向リンクに対して、別個の利用資源フィールド５１０および第１のＨＡＲＱ送信割当てフィールド５３０が存在するが、いくつかの実施形態においてはフィールドの組全体を一緒にエンコードしても良い。
【００７０】
逆方向リンクのＨＡＲＱプロセスは、順方向リンクのそれと同様であり、基地局および移動局の役割が反対である。ＦＬと同様に、ＲＬは持続的な割当てを利用し、図６に示すようなグループ位置とＨＡＲＱ送信機会との間の所定の関係に基づく。
【００７１】
前述したように、直交する資源上で逆方向リンク送信をスケジューリングすることは、要求／移動局がチャンネルを要求して基地局が要求を許可するかまたは許可を拒否する許可メカニズムに基づく。図１１に、逆方向リンク送信を行なうために基地局が共有資源の組の１つを許可することを要求するために移動局が用いる典型的な要求メカニズムを例示する。図１１を参照して、８つの移動局がグループ１１３０に割り当てられ、これらの移動局にグループ位置１〜８が割り当てられている。移動局３（ＭＳ３）にはグループ位置１が割り当てられ、ＭＳ６にはグループ位置２が割り当てられ、ＭＳ７にはグループ位置３が割り当てられ、ＭＳ９にはグループ位置４が割り当てられ、ＭＳ１０にはグループ位置５が割り当てられ、ＭＳ１３にはグループ位置６が割り当てられ、ＭＳ１４にはグループ位置７が割り当てられ、ＭＳ１７にはグループ位置８が割り当てられている。
【００７２】
ＨＡＲＱ送信機会は、図６に示すものと同様である。各ロング・フレームの間に、次回の許可インスタンスに対して第１のＨＡＲＱ送信機会が規定される移動局のみが、要求メッセージを送信する。たとえば、基地局が、各スーパー・フレームのロング・フレーム番号０においてサブグループ０に対して資源を許可する場合、サブグループ０は、先行するロング・フレーム（たとえば先行するスーパー・フレームのロング・フレーム番号９）において資源を要求する。より詳細には、各移動局には、特定のロング・フレームと特定のＯＦＤＭ資源とが、自身の逆方向リンク送信を要求するために割り当てられる。資源を要求するためのＯＦＤＭ資源は、特定のＯＦＤＭ副搬送波、特定のＯＦＤＭ符号、ＯＦＤＭ副搬送波およびＯＦＤＭ符号の組上での特定のウォルシュ・コード、または組み合わせとすることができる。
【００７３】
図１１を参照して、サブグループ０に、逆方向リンク資源を要求するためにロング・フレーム番号９が割り当てられている場合について考える。さらに、ＭＳ３には逆方向リンク上で送信するパケットがあり、一方でＭＳ６には逆方向リンク上で送信するパケットがない場合について考える。したがって、ＭＳ３から要求メッセージ１１１０が基地局１１２０に送信される。これらの要求メッセージ（または要求メッセージがないこと）に基づいて、基地局は特定の移動局に対して特定の資源を許可する。
【００７４】
ＲＬに対する資源割り当てシグナリングは、ＦＬのそれと同様である。これを例示するために、図１２に、利用資源フィールド１２１０および第１のＨＡＲＱ送信割当てフィールド１２３０を有する種々の実施形態の典型的な割り当て方式を示す。グループ割当て、サブグループ割当て、およびサブグループとＨＡＲＱ送信機会との間の関係は、図１２に示すものと同じである。
【００７５】
基地局からグループ１２３０に、共有資源の組１２０８と資源１２０８が割り当てられる順番を示す割り当てられた順序付けパターン１２７０との表示が送信される。なお、特定のグループに対するＲＬ資源は、ＦＬ資源と同じであっても良いし、ＲＬ資源と異なっていても良い。さらに、ＦＬおよびＲＬ資源の数は同じであっても良いし異なっていても良い。この情報を、制御チャンネル上で基地局から移動局へ送信しても良い。割り当てられた順序付けパターン１２７０が共有資源の組１２０８に適用されると、資源には１２０８に示すように番号付けがなされる。
【００７６】
基地局は、利用資源フィールド１２５０および第１のＨＡＲＱ送信割当てフィールド１２６０を、共有の制御チャンネルの一部として送信する。利用資源フィールドは長さが８のビットマップであり、各ビットマップ位置は共有資源の１つに対応する。特に、第１のビットマップ位置は第１の共有資源に対応し、第２のビットマップ位置は第２の共有資源に対応する等である。利用資源フィールド１２５０における「１」は、共有資源の組における対応する資源が、進行中の送信に対して現時点で用いられていることを示し、一方で、利用資源フィールド１２５０における「０」は、共有資源の組における対応する資源が、進行中の送信に対して現時点で用いられておらず、したがって第１の送信に対して利用可能であることを示す。
【００７７】
利用資源フィールドに基づいて、グループ内の移動局は、どの資源が、進行中の送信に対して用いられているかを、１２０９に示すように決定する。第１のＨＡＲＱ送信割当てフィールド１２６０は長さが２のビットマップであり、各ビットマップ位置は、第１のＨＡＲＱ送信機会が規定される移動局に対応する。この例では、第１のＨＡＲＱ送信割当てフィールド１２６０における「１」は、対応する移動局に共有資源の組の１つが割り当てられていることを示し、第１のＨＡＲＱ送信割当てフィールド１２６０における「０」は、対応する移動局に共有資源の組の１つが割り当てられていないことを示す。
【００７８】
第１のＨＡＲＱ送信割当てフィールド１２６０の第１のビットマップ位置は、サブグループ内の第１の移動局に対応付けられ、一方で、第１のＨＡＲＱ送信割当てフィールド１２６０の第２のビットマップ位置は、サブグループ内の第２の移動局に対応付けられる。この例では、第１のＨＡＲＱ送信割当てフィールド１２６０におけるＮ番目の「１」に対応する移動局には、利用資源フィールド１２５０によって規定されるＮ番目の未使用資源が割り当てられる（許可される）。
【００７９】
これらのルールに基づいて、ロング・フレーム番号０に対しては、基地局は共有資源の組１２０８からの資源を、１２１０に示すようにサブグループ０に持続的な方法で割り当てる（許可する）。図１１から、ＭＳ３は資源を要求したがＭＳ６は資源を要求しなかったことを、思い起こされたい。したがって、ＭＳ３には１２０９の第１の未使用資源を割り当て（許可し）、ＭＳ６には資源を割り当てない（許可しない）。資源割り当て１２１０における「Ｘ」は、資源が別の移動局によって用いられていることを示す。
【００８０】
基地局は、利用資源フィールド１２５０および第１のＨＡＲＱ送信割当てフィールド１２６０をエンコードして、共有の制御チャンネル上で送る。移動局は、共有の制御チャンネルを受信およびデコードして、移動局の利用資源フィールド１２５０および第１のＨＡＲＱ送信割当てフィールド１２６０を決定する。たとえば、ロング・フレーム番号に基づいて、ＭＳ３およびＭＳ６は、それらに対して第１のＨＡＲＱ送信機会が規定されていることを決定する。次に、ＭＳ３およびＭＳ６は、どの共有資源の組が進行中の送信に対して現時点で用いられているかを、利用資源フィールド１２５０から決定する。次に、第１のＨＡＲＱ送信割当てフィールド１２６０に基づいて、ＭＳ３は、未使用資源の組から資源が割り当てられているのは第１の移動局であること、および１つの資源が割り当てられていることを決定しても良い。したがって、ＭＳ３は、１２１０に示すように自身の資源割り当てを決定する。他方では、ＭＳ６は、資源が割り当てられていないことを決定しても良い。割り当てられた（許可された）資源に基づいて、移動局は、許可された資源を用いてＲＬ上でパケットを送信する。基地局は、各移動局からの送信がどこで起こると予想されるかも認知する。
【００８１】
逆方向リンク動作の場合は、基地局は、利用資源フィールド５１０を用いて確認応答表示として機能しても良い。特に、いったん移動局に、持続的な方法で逆方向リンク送信に対する資源が割り当てられると、基地局は、パケットのデコードに成功するまでかまたは最大数の送信に達するまで、利用資源フィールド５１０において「１」を示す。このようにして、移動局が、自身の割り当てられた資源に対応するビットが基地局によって「１」から「０」に、最大数の送信に達する前に変えられたことを観察した場合、移動局は、基地局が移動局のパケットのデコードに成功したことを認知する。
【００８２】
順方向リンクに関して説明した動作と同様に、利用資源フィールド５１０および第１のＨＡＲＱ送信割当てフィールド５３０を用いて、逆方向リンク上で１つの移動局に対して同時送信機会を示すことができる。しかし移動局には電力制限があるために、移動局が２つのパケットを同時に送信することは、特に有効範囲エリア１０７の外端部に配置された移動局の場合に、しばしば望ましくない。したがって、いくつかの実施形態においては、制御ヘッダ５０２を用いて、許可された特定の移動局に対して、異なるインターレースにおける資源かまたは同じインターレースの特定のフレームにおける（すなわち、資源がまだ許可されていないフレームにおける）資源を示す。
【００８３】
図１３に、移動局に対して資源を許可する典型的な制御ヘッダを例示する。図１３を参照して、制御ヘッダ１３０２には、移動局に資源を許可するための３つのフィールドが含まれる。第１に、位置識別子フィールド１３０４は、許可を意図する移動局の位置を示すために用いられる。第２に、インターレース割当てフィールド１３０６は、どのインターレースに対して許可が妥当であるかを示すために用いられる。たとえば、インターレース割当てフィールド１３０６は２ビットとすることができ、「００」は現在のインターレースを示し、「０１」は次のインターレースを示し、「１０」は次の後のインターレースを示す。
【００８４】
第３に、資源割り当てフィールド１３０８は、許可された特定の資源を示すために用いられる。制御ヘッダに示される許可は、前述したように持続的な割当てであっても良い。位置識別子フィールド１３０４、インターレース割当てフィールド１３０６、および資源割り当てフィールド１３０８の複数のコピーを用いて、複数の移動局に対する許可を示すことができる。移動局は制御ヘッダを処理して、自身の割り当てられたグループ位置が、制御ヘッダに列記された位置識別子１３０４にマッチするか否かを判定する。そうである場合には、移動局は、インターレース割当て１３０６および資源割り当て１３０８に記述された資源が許可されたことを決定する。
【００８５】
前述のような資源の許可に関係付けられるオーバーヘッドは、特定の条件の下で禁止することができる。したがって、いくつかの実施形態においては、ハッシュ・アルゴリズムを用いて制御ヘッダにおいて必要なビットの数を減らすことができる。この実施形態においては、制御ヘッダ１３０２にはＭビット（Ｍは２以上の正の整数）が含まれていて、既知のインターレースにおいて（たとえば、次のインターレースにおいて）許可された特定の資源を示すハッシュ方式を制御する。特に、既知の数の送信を行なった後に現在のパケットに対して基地局から確認がなされていない各移動局は、自身の割り当てられたグループ位置のＮ個の最下位ビットを、Ｍビットの制御ヘッダに示された最下位ビットの数を切り捨てた後に見る。これらのビットは、許可された資源を表わす。基地局は、制御ヘッダの値の決定を、現在のパケットに対して基地局から確認がなされていない移動局の組に、オーバーラップしない資源が許可されるように行なう。次に基地局は、既知のインターレース（たとえば次のインターレース）におけるハッシュ方式に従って割り当てられる資源に対応する利用資源フィールドを、「１」に設定する。
【００８６】
説明のための例として、制御ヘッダの長さが４ビット（Ｍ＝４）、Ｎの値が２ビット、既知のインターレースが次のインターレースの場合について考える。さらに、８ビットの位置指標である「１０１００１１０」および「０１１００１０１０」を伴う移動局に対して基地局が現在のパケットを確認しなかったことを決定したと、想定する。基地局が４ビットの制御ヘッダを「００００」に設定した場合、移動局は、その許可された資源はそれぞれ「１０」および「１０」であると決定する。なぜならば、これらは、各位置指標における２つの最下位ビットだからである。これらの値が同じであるため、基地局は、制御ヘッダに対して異なる値を選択する。たとえば、基地局が４ビットの制御ヘッダを「０００１」に設定した場合、移動局は、その許可された資源はそれぞれ「１１」および「０１」であると決定する。なぜならば、これらは、「０００１」＝１の最下位ビットを切り捨てた後の各位置指標の最も小さい２つの最下位ビットだからである。
【００８７】
これらの値は異なっているため、基地局は制御ヘッダのこの値を用いて、位置「１０１００１１０」を伴う移動局に「１１」資源が、次のインターレースにおいて割り当てられること、および位置「１１００１０１０」を伴う移動局に「０１」資源が、次のインターレースにおいて割り当てられることを示しても良い。基地局は、次のインターレースに割り当てられる移動局に、その資源のうちの２つが使用されていることを、資源「１１」および資源「０１」に対応する利用資源フィールドのビットを「１」に設定することによって示す。この方式では、ある特定の数の送信を行なった後で資源を必要としているのは少数の移動局のみであり、したがって制御ヘッダを見ているのは少数の移動局のみであるという事実を利用している。
【００８８】
次に図１４を参照して、種々の実施形態による移動局１４０１および基地局１４０３のアーキテクチャを例示する。移動局１４０１は、ＶｏＩＰアプリケーション１４０５、ネットワーキング層１４０７、無線リンク・コントローラ（ＲＬＣ）１４０９、メディア・アクセス・コントローラ（ＭＡＣ）１４１１、および物理層（ＰＨＹ）１４１３を有するスタックを備えている。加えて、移動局１４０１はＨＡＲＱコンポーネント１４１５を有している。ＨＡＲＱコンポーネント１４１５は、残りのコンポーネント／層の何れかに分離しても良いし、それらに統合しても良い。すでに詳細に述べたように、移動局１４０１のＨＡＲＱコンポーネント１４１５は、データを送信または受信するための自身の資源割り当てを決定するために利用資源フィールドおよび／または第１のＨＡＲＱ送信割当てフィールドを受信しても良い。移動局は、物理層上で基地局に要求メッセージを送信しても良い。
【００８９】
基地局１４０３は、同様に、ＶｏＩＰアプリケーション１４１７、ネットワーキング層１４１９、ＲＬＣ１４２１、ＭＡＣ１４２３、およびＰＨＹ１４２７を有している。しかし基地局１４０３は付加的に、種々の実施形態において、ＨＡＲＱスケジューリング・コンポーネント１４２５を有している。すでに詳細に述べたように、基地局１４０３のＨＡＲＱスケジューリング・コンポーネント１４２５は、予約されたブロック・フィールドおよび／または第１のＨＡＲＱ送信割当てフィールドを、移動局のグループおよび／またはサブグループに、データを送信または受信するためのそれらの資源割り当てを示すために送っても良い。さらに、ＨＡＲＱスケジューリング・コンポーネント１４２５は、いくつかの実施形態において、ＨＡＲＱサブグループを規定しても良い。
【００９０】
図１５は、いくつかの実施形態による移動局の主なコンポーネントを例示するブロック図である。移動局１５００は、ユーザ・インターフェース１５０１、少なくとも１つのプロセッサ１５０３、および少なくとも１つのメモリ１５０５を備えている。メモリ１５０５の記憶領域は、移動局オペレーティング・システム１５０７、アプリケーション１５０９、および一般的なファイル記憶領域１５１１に対して十分なものである。移動局１５００のユーザ・インターフェース１５０１は、次のようなユーザ・インターフェースの組み合わせであっても良い。たとえば（しかしこれらに限定されないが）、キーパッド、タッチ・スクリーン、音声起動コマンド入力、およびジャイロスコープ・カーソル制御である。移動局１５００は、グラフィカル・ディスプレイ１５１３を有している。グラフィカル・ディスプレイ１５１３はまた、専用のプロセッサおよび／またはメモリ、ドライバなど（図１５では示さず）を有していても良い。
【００９１】
図１５は単に説明を目的としたものであって、本開示による移動局の主なコンポーネントを例示するためのものであり、移動局に必要な種々のコンポーネントおよびそれらの間の接続部の完全な概略図であることが意図されているわけではないことを、理解されたい。したがって、移動局は、図１５に示していない他の種々のコンポーネントを備えてかつ依然として本開示の範囲内であっても良い。
【００９２】
図１５に戻って、移動局１５００は多くの送受信装置、たとえば送受信装置１５１５および１５１９を備えていても良い。送受信装置１５１５および１５１７は、種々の無線ネットワークと種々の規格とを用いて通信するためのものであっても良い。種々の規格はたとえば（これらに限定されないが）、ＵＭＴＳ、Ｅ−ＵＭＴＳ、Ｅ−ＨＲＰＤ、ＣＤＭＡ２０００、８０２．１１、８０２．１６などである。
【００９３】
メモリ１５０５は単に説明を目的としたものであり、種々の方法で構成してかつ依然として本開示の範囲内に留まっていても良い。たとえば、メモリ１５０５は複数の要素から構成され、それぞれがプロセッサ１５０３に結合されていても良い。さらに、別個のプロセッサおよびメモリ要素が、特定のタスクたとえばグラフィカル・イメージをグラフィカル・ディスプレイ上で表すことに専ら用いられても良い。いずれの場合でも、メモリ１５０５は少なくとも、移動局１５００用のオペレーティング・システム１５０７、アプリケーション１５０９、および一般的なファイル記憶領域１５１１に対する記憶領域を提供する機能を有する。いくつかの実施形態において、また図１４に示すように、アプリケーション１５０９は、基地局におけるスタックと通信するソフトウェア・スタックを備えていても良い。したがって、アプリケーション１５０９は、すでに詳細に述べたように、基地局から受信したＨＡＲＱスケジューリング情報を用いる能力を提供するためのＨＡＲＱコンポーネント１５１９を備えていても良い。ファイル記憶領域１５１１は、図１５に例示するように、ＨＡＲＱ  ＯＰＰＳ割り当てに対する記憶領域を提供しても良い。
【００９４】
図１６に、種々の実施形態による基地局の動作をまとめる。１６０１において、基地局は、以前に説明したように、種々の基準に基づいて資源をスケジューリングするために移動局をグループ化する。１６０３において、基地局は、図６に関して説明したような移動局グループ位置とその対応するＨＡＲＱ送信機会との間の関係を規定する。１６０５において、基地局はさらに、次の送信機会に対するサブグループを決定しても良い。特に、１６０５において、基地局は、次の送信機会においてどのサブグループに第１のＨＡＲＱ送信機会を割り当てるかを決定しても良い。１６０７において、基地局は、利用資源および第１のＨＡＲＱ送信割当てフィールドを送る。これは、前述したように、共有の制御チャンネル上で送られるビットマッピングであっても良い。１６０７において、基地局は、グループ内の移動局から要求メッセージを受信しても良い。１６０９において、基地局は、共有資源の組を用いて移動局にデータを送っても良いし移動局からデータを受信しても良い。
【００９５】
図１７は、共有の制御チャンネルを受信する移動局１０２の動作を示すフロー・チャートである。１７０１において、移動局は、自身のＨＡＲＱ送信機会を、自身の割り当てられたグループ位置（すなわち、割り当てられたサブグループ）およびロング・フレーム番号に基づいて決定する。１７０３において、移動局は、第１のＨＡＲＱ送信機会が現在のロング・フレームに対して規定されているか否かを判定する。そうでない場合には、１７０５において、移動局は、パケットの第１のＨＡＲＱ送信機会の間に割り当てられた資源上で、引き続きデータを送信または受信する。ただしパケットが以前に確認されている場合は除く（この場合、移動局は何もしない）。そうである場合には、１７０７において移動局は共有の制御チャンネルを受信する。１７０９において、移動局は、利用資源フィールドおよび第１のＨＡＲＱ送信割当てフィールドを、共有の制御チャンネルから取り出す。１７１１において、移動局は、共有資源の１つが割り当てられているかまたは要求されていたら許可されているかを、第１のＨＡＲＱ送信割当てフィールドに基づいて判定する。最後に、１７１３において、資源が割り当てられているかまたは許可されている場合、移動局は、割り当てられたかまたは許可された正確な資源を、利用資源フィールドおよび第１のＨＡＲＱ送信割当てフィールドを用いて決定し、割り当てられた資源上でデータを送信または受信する。
【００９６】
図１８は、要求メッセージを送信するための移動局１０２の動作を示すフロー・チャートである。１８０１において、移動局は自身のＨＡＲＱ送信機会を、自身の割り当てられたグループ位置（すなわち、割り当てられたサブグループ）および自身の次のロング・フレーム番号に基づいて決定する。１８０３において、移動局は、第１のＨＡＲＱ送信機会が、逆方向リンク送信に対する次のロング・フレームに対して規定されているか否かを判定する。そうでない場合には、１８１１においてフロー・チャートは終了する。そうである場合には、１８０７において、移動局は、次のロング・フレームにおいて送信すべき新しいパケットがあるか否かを判定する。そうである場合には、１８０９において移動局は要求メッセージを基地局に送る。１８１１において、フロー・チャートは終了する。
【００９７】
種々の実施形態について例示し説明してきたが、本発明はそのように限定されるわけではないことを理解されたい。多くの変更、変化、変形、代用、および均等物が、添付の請求項によって規定される本発明の技術思想および範囲から逸脱することなく、当業者には想起される。
【図１】
2010503337.tif 000003
【図２】
2010503337.tif 000004
【図３】
2010503337.tif 000005
【図４】
2010503337.tif 000006
【図５ａ】
2010503337.tif 000007
【図５ｂ】
2010503337.tif 000008
【図５ｃ】
2010503337.tif 000009
【図５ｄ】
2010503337.tif 000010
【図６】
2010503337.tif 000011
【図７】
2010503337.tif 000012
【図８】
2010503337.tif 000013
【図９】
2010503337.tif 000014
【図１０】
2010503337.tif 000015
【図１１】
2010503337.tif 000016
【図１２】
2010503337.tif 000017
【図１３】
2010503337.tif 000018
【図１４】
2010503337.tif 000019
【図１５】
2010503337.tif 000020
【図１６】
2010503337.tif 000021
【図１７】
2010503337.tif 000022
【図１８】
2010503337.tif 000023
【国際調査報告】
2010503337.tif 000024